(57)【要約】  無タン履物は、靴底と、第１側方部と、反対側の第２側方部と、キャノピと、締固定構造部とを含む。キャノピは第１側方部に結合されており、第２側方部上にまで延出し、ユーザの踝と足甲のための実質的に直接的な支持力を提供する。締固定構造部は、キャノピを第２側方部に安定して締固定するように設計されており、コード部、係留部およびコードテンショナーを備えたトグル構造部を含むことができる。【特許請求の範囲】
【請求項１】
無タン履物であって、靴底と、第１側方部と、反対側の第２側方部とを含んでおり、それら第１側方部と第２側方部の両方は前記靴底に結合されており、本無タン履物はさらに前記第１側方部に結合されたキャノピを含んでおり、該キャノピは前記第２側方部上にまで延出し、踝と足甲のための実質的に直接的な支持力を提供しており、さらに前記キャノピは前記第２側方部に締固定されるように設計されており、本無タン履物はさらに前記第２側方部に前記キャノピを安定して締固定するように設計された締固定構造部を含んでいることを特徴とする無タン履物。
【請求項２】
前記締固定構造部がフック部および対応するラッチ部を含んでいることを特徴とする請求項１記載の無タン履物。
【請求項３】
前記ラッチ部は剛性であることを特徴とする請求項２記載の無タン履物。
【請求項４】
前記ラッチ部は可撓性であることを特徴とする請求項２記載の無タン履物。
【請求項５】
前記締固定構造部がクリップまたは調節可能なバックルを備えた調節可能なベルクロストラップを含んでいることを特徴とする請求項１記載の無タン履物。
【請求項６】
前記締固定構造部はコード部および複数の係留部を有したトグル構造部であり、それぞれの係留部が前記キャノピと前記第２側方部のうちの少なくとも一方に結合されており、前記コード部が前記複数の係留部に操作可能に連結され、本履物を締固定するように設計されていることを特徴とする請求項１記載の無タン履物。
【請求項７】
前記トグル構造部がテンショナーを含んでいることを特徴とする請求項６記載の無タン履物。
【請求項８】
前記テンショナーが前記コード部の緊張度を制御するように設計されているダイヤルを含んでいることを特徴とする請求項７記載の無タン履物。
【請求項９】
さらに膨張性の足指収容部を含んでいることを特徴とする請求項１記載の無タン履物。
【請求項１０】
さらに膨張性のヒール受部を含んでいることを特徴とする請求項１記載の無タン履物。
【発明の詳細な説明】
【技術分野】
【０００１】
本発明は、キャノピ（覆蓋部）を有し、タン（舌片）部を有していない履物を安定して快適に締固定する構造と方法に関する。
【背景技術】
【０００２】
図１で示すように、大抵の靴、例えば靴１００は靴底に接続された側方部１１０と１２０を有する。側方部１１０と１２０は、靴紐またはストラップ１３０と１４０のごとき締付け構造部によって締固定される。これらストラップ１３０と１４０は足を固定保持し、足指同士を固定し、側方部１１０と１２０の間でタッキングされている前方タン部１５０を含んだ嚢状体を形成する。
【０００３】
伝統的な前方タン部と靴紐は、運動靴およびカジュアルシューズを閉締する安価で一般的に利用されてきた手段ではあるが、上下方向に不必要に足を圧迫し、足指同士を絞って、歩行および走行するときに足を内部で自由に動作させない。靴の別な一般的な特徴部は、ファッション性を目的とし、足を自由に動作させるのを助ける機能的な目的には貢献しないプラスチック製の剛質ヒール受部であるが、反復して走行したり歩行したりすることにより踵骨の問題を頻繁に引き起こす。
【０００４】
一般的に、負荷状態での運動中に余裕があり不自然でなければ、足は約１５％程度足幅が広がるであろう。今日の多くの靴デザインはこのような足の余裕を許容しない。足は足指根元部分で最も幅広いが大抵の靴ではそのように設計されておらず、足が膨張したときに足指の爪を傷め、靴のフロント部に繰り返し足指を押し付ける。
【０００５】
さらに、大抵の靴デザインは大きな物理的敏捷性を提供するものでなければならず、さらに足に長時間密着固定させる必要がある。従って靴を履いたり及び／又は履き替えたりすることは、子供たち、身体不自由者およびトライアスロン選手など靴の履き替えが必要な時間競争競技に参加しているアスリートにとっては大きな負担である。
【発明の概要】
【発明が解決しようとする課題】
【０００６】
従って、足に容易および快適に締固定でき、キャノピは備えるがタン部は有していない履物の需要が存在することは明らかである。この性能が向上した無タン履物は迅速に着用および脱靴が可能であり、使用中に足に不当な圧迫を加えることなく足を適正および快適に機能させることができる。
【課題を解決するための手段】
【０００７】
前述の目的を達成するため、および本発明に従って、キャノピを有した無タン履物を安定して快適に締固定させる構造および方法が提供される。
【０００８】
１実施形態では、無タン履物は、靴底、第１側方部、反対側の第２側方部、キャノピ、および締固定構造部を含んでいる。第１側方部と第２側方部は靴底に結合されている。キャノピは第１側方部に結合され、第２側方部を覆うように延出し、ユーザの踝と足甲のために実質的直接的な保護を提供する。さらにキャノピは第２側方部に締固定されるようにデザインされている。締固定構造部はキャノピを第２側方部に確実に締固定するようにデザインされている。
【０００９】
実施形態によっては、締固定構造部はフック部と、それに対応するラッチ部とを含む。締固定構造部は、コード部と複数の係留部とを有したトグル構造部をも含むことができる。それら係留部のそれぞれはキャノピあるいは第２側方部のいずれかに結合されている。コード部はそれら複数の係留部に機能的に結合されるようにデザインされており、履物をユーザに締固定するものである。トグル構造部はコード部の緊張力を制御するためのダイヤルを備えたテンショナーを含むことができる。無タン履物はまた、膨張性の足指収容部及び／又は膨張性のヒール受部も含むことができる。
【００１０】
上述の本発明の様々な特徴は単独または組み合わせて実施できる。本発明のそれら、および他の特徴は以下の発明に詳細な説明において、下記の図面に関連させてさらに詳細に説明されている。
【００１１】
本発明をさらに明確に説明するため、いくつかの実施例を添付の図面を活用して詳細に例示する。
【図面の簡単な説明】
【００１２】
【図１】図１はカジュアルシューズの斜視図である。
【図２】図２Ａから図２Ｃは本発明によるキャノピを有した靴の１実施例の斜視図である。
【図３】図３は、本発明によるキャノピを有した靴の実施例のための例示的トグル構造部の機構を図示する構造図である。
【図４】図４は、図３で示す機構を採用したキャノピを有した靴の別実施例のための幾つかのトグル構造部を図示する斜視図である。
【図５】図５Ａおよび図５Ｂは、図３で示す機構を採用したキャノピを有した靴の別実施例のための幾つかのトグル構造部を図示する斜視図である。
【図６】図６は、本発明によるキャノピを有した靴の別実施例の斜視図である。
【図７】図７は、本発明によるキャノピを有した靴の別実施例の斜視図である。
【発明を実施するための形態】
【００１３】
本発明を添付の図面に表した幾つかの実施例を通して詳細に説明する。以下の説明では本発明の実施形態の完全な理解を助けるために多数の特定細部が解説されている。しかしながら、専門家には、それら幾つかの特定細部を省いても、または全ての特定細部を省いてもそれら実施形態が実施可能であることが理解できるであろう。その他の場合には、良く知られたプロセス及び／又は構造の説明は、本発明の説明を不要に複雑化しないため省略されている。実施例の特徴および利点は、以下の図面への言及と図面の説明でさらに深く理解されるであろう。
【００１４】
本発明はキャノピを有した無タン履物を確実および快適に締固定するための構造と方法に関する。その説明のため図２Ａ、図２Ｂおよび図２Ｃは、靴側方部２７０、キャノピ２８０、およびキャノピ固定部２６０と、その対応側方固定部２５０とを有した締固定構造部を備えた無タン靴２００の１実施例を図示する斜視図である。図２Ａは、キャノピ固定部２６０が側方固定部２５０に固定され、ユーザの足（図示せず）を締固定していることを図示しており、図２Ｂは、側方固定部２５０から外されたキャノピ固定部２６０を図示する。最後に図２Ｃは、靴側方部２７０から上方に引き剥がされた姿勢で、靴側方部２７０の上方部２７５を露出しているキャノピ２８０を図示する。この実施例では、キャノピ固定部２６０は複数の梯子状フック部を有し、係合する側方固定部２５０はラッチ部を有して、靴２００をユーザの足に調節可能に締固定させる。
【００１５】
図３は、図４、図５Ａおよび図５Ｂのそれぞれの靴４００、５００Ａおよび５００Ｂで例示されたキャノピ付き靴の実施例の例示的トグル構造部の機構を図示する構造図である。トグル構造部の係留部位置３１０、３２０、３３０、３４０、３５０および３６０と固定部３９０は、足の自然な動作を阻害することなく、実質的に最良のフィット性と快適性を提供するように適切にスペース配置されている。
【００１６】
図４で示すキャノピ付き無タン靴４００は、靴側方部４７０、キャノピ４８０、およびコード部４２２と、複数の係留部４１１、４１２、４１３、４１４、４１５、４１６と、キャノピ固定部４６０と側方固定部４５０とを有したトグル構造部を含む。この実施例では、コード部４２２は、係留部４１１、４１２、４１３、４１４、４１５、４１６、および側方固定部４５０の取付部４５５に固定されるようにデザインされている。利用形態に応じて、コード部４２２は、例えば、ナイロンストリングまたはコーティングが施された金属ストリングの長延体であり、係留部４１１、４１２、４１３、４１５、４１６、および側方固定部４５０に通されており、あるいは係留部のペア４１１と４１２、４１１と４１３、４１２と４１４、４１４と４１５、４１５と４１６、および４１６と４１３、またはそれらの組み合わせを連結する離散したコード部分を含んでいる。キャノピ固定部４６０は、側方固定部４５０の対応する孔部に確実に連結されるようにデザインされたフック部４６５を含む。
【００１７】
図５Ａは、靴側方部５７０、キャノピ５８０、およびコード部４２２と、複数の係留部４１３、４１４、４１５、４１６と、キャノピ固定部５６０と、側方固定部５５０と、コードテンショナー５３０とを有したトグル構造部を含んだキャノピ付き無タン靴５００Ａの斜視図である。この実施例では、コード部４２２はストリングであり、係留部４１３、４１４、４１５、４１６、側方固定部５５０の取付部５５５およびテンショナー５３０を通過する。キャノピ固定部５６０は側方固定部５５０の対応する孔部に確実に連結されるようにデザインされたフック部５６６を含む。テンショナー５３０は靴側方部５７０に位置し、コード部４２２の緊張力を制御するようにデザインされたダイヤルを含むことができる。
【００１８】
図５Ｂの斜視図に示すキャノピ付き無タン靴５００Ｂは靴側方部５７８、キャノピ５８８、およびコード部５２２と、複数の係留部５１２、５１３、５１４、５１５、５１６、５１８、５１９と、キャノピ固定部５６５と、側方固定部５５６と、コードテンショナー５３６とを有したトグル構造部を含んでいる。この実施例では、コード部５２２はストリングであり、係留部５１２、５１３、５１４、５１５、５１６、５１８、５１９、側方固定部５５６、およびテンショナーガイド５３２と５３４を介してテンショナー５３６を通過する。キャノピ固定部は側方固定部５５６の対応する孔部に確実に連結されるようにデザインされたフック部５６５である。靴５００Ｂのヒール部位に位置するテンショナー５３６は、コード部５２２の緊張力を制御するようにデザインされたダイヤルを含むことができる。
【００１９】
図６は、靴側方部６７０、キャノピ６８０、およびキャノピ固定部６６０と、対応する側方固定部６５０とを有した固定構造部を備えたキャノピ付き無タン靴６００の斜視図である。キャノピ固定部６６０は側方固定部６５０の対応する孔部に確実に連結されるようにデザインされたフック部を含んでいる。
【００２０】
図７で示すキャノピ付き無タン靴７００は靴側方部７７０、キャノピ７８０、および一体化したバックルを有した締固定構造部を含んでいる。
【００２１】
実施例によっては、図６と図７で図示するように、足指収容部６９４と７９４は膨張性で通気性である材料によって造られており、足指全体を最少程度に閉鎖した状態で通気させ、足が膨張したときに足先の動きを許容する。種々な踵骨部位の個別フィット感を提供する能力は、膨張性で通気性があり、支持力を有するヒール受部６９２と７９２の周囲の膨張性材料を綴じ合わせることによって与えられている。
【００２２】
上述の実施例の改変と部材追加は可能である。例えば、トグル構造物のコード部を支持する係留部は靴側部に回転式に取り付けることができ、それによって緊張力がさらに均質に配分され、ユーザの快適性を高めることができる。ラッチ部はポリカーボネートのごとき剛質材料あるいはゴムのごとき可撓性材料から製造できる。締固定構造部は締具合の調整が可能なベルクロ（面ファスナ）ストラップを含むこともできる。
【００２３】
上述のキャノピ付き無タン靴の有利な特徴には、歩行、走行、サイクリング、健康リハビリ、および長時間の立脚の要求下で、足の自然な動作を許容するために、（ａ）１体型キャノピの提供、（ｂ）タン部の省略、（ｃ）上部レースの省略、（ｄ）剛質ヒール受部と束縛状態足指収容部の省略の内の少なくとも１つによる足指からヒールまでの靴甲の再設計が含まれる。従来のタン部とレースの代用としての一体型キャノピは最低の努力で非常に容易な靴への進入／脱出を許容する。様々な方法による側方の掛留めでも履物との容易で迅速な係合／脱係合が可能である。
【００２４】
さらに、足の上下方向にレースを掛ける代わりに足の周囲方向に側方からラッチ留め（掛留め）させる機能は様々な閉止手段によって提供される。１例は足の上部近辺をクリップ留めするゴムラッチが存在する。実施例によっては、進行路でスライドする側方レース／コードの二重螺旋タイプのデザインが可能であり、レース／コードを導くように作用する靴側方部の特定の接触部位が存在する。ラッチ留め後に調整を提供するトグル構造部を備えたオプションの一体的クリップも存在する。
【００２５】
本発明はいくつかの実施例に関連して説明されているが、それらの別例、変形、置換、および代用均等物が存在する。それらは全て本発明の範囲内である。本発明の方法および装置の多数の別実施形態が存在する、従って、以下の請求項は、そのような全ての別形態、変形、置換および代用均等物を含んでいるものと解釈されることが意図されている。
【図１】
2015519949.tif 000002
【図２Ａ】
2015519949.tif 000003
【図２Ｂ】
2015519949.tif 000004
【図２Ｃ】
2015519949.tif 000005
【図３】
2015519949.tif 000006
【図４】
2015519949.tif 000007
【図５Ａ】
2015519949.tif 000008
【図５Ｂ】
2015519949.tif 000009
【図６】
2015519949.tif 000010
【図７】
2015519949.tif 000011
【国際調査報告】
2015519949.tif 000012
2015519949.tif 000013